(57)【要約】【課題】  換気扇及び換気扇フードの内部と共にフィルター体も汚れることを防止でき、フィルターの着脱が容易且つ自在な換気扇のフード用フィルター体を提供する。【解決手段】  シート状のフィルター部材と、フィルター部材を平面状に保持する枠体とからなり、枠体は、フィルター取付面を有し、フィルター取付面は、枠体開口部に接して周回する平坦部が平面内にあり、平坦部には、マジックテープ（登録商標）が設けられていることを特徴とする。また、フィルター部材は、フィルター取付面全面を被覆可能な形状であり、フィルター体が、フィルター取付面の裏面を換気扇側に向けて取り付けられている。【選択図】  図１
0003113154.tif 000002
【実用新案登録請求の範囲】
【請求項１】
換気扇フードに取り付けるフィルター体であって、該フィルター体は、シート状のフィルター部材と、該フィルター部材を平面状に保持する枠体とからなり、該枠体は、フィルター取付面を有し、該フィルター取付面は、枠体開口部に接して周回する平坦部が平面内にあり、該平坦部には、マジックテープ（登録商標）が設けられていることを特徴とする換気扇フード用フィルター体。
【請求項２】
前記フィルター部材は、前記フィルター取付面全面を被覆可能な形状であることを特徴とする請求項１に記載の換気扇フード用フィルター体。
【請求項３】
前記フィルター体は、前記フィルター取付面の裏面が換気扇側を向いて取り付けられることを特徴とする請求項１又は２に記載の換気扇フード用フィルター体。
【請求項４】
前記フィルター取付面には、取っ手部材が突出して設けられていることを特徴とする請求項１〜３のいずれかに記載の換気扇フード用フィルター体。
【請求項５】
前記フィルター部材にはスリットが設けられ、前記フィルター部材を前記枠体へ取り付けた時に、前記取っ手部材が該スリットから突出することを特徴とする請求項４に記載の換気扇フード用フィルター体。
【請求項６】
不織布で形成されたシート状のフィルター部材であって、該フィルター部材は、請求項１〜５記載の換気扇フード用フィルター体の枠体の一部を被覆可能な大きさ及び形状を有し、該枠体に設けられた取っ手部材が貫通可能なスリットを有していることを特徴とするフィルター部材。
【考案の詳細な説明】
【技術分野】
【０００１】
本考案は、換気扇フードに取り付け、換気扇及び換気扇フードの汚れを防止又は低減することを目的とする換気扇フード用フィルター体に関する。
【背景技術】
【０００２】
家庭や飲食店などの調理場には、ガスコンロの上方に換気扇が取り付けられている。従来では、換気扇が剥き出しの状態で設置されていたが、効率良く煙を排出することができなかったため、最近では換気扇フードを取り付けたものが主流となっている。
【０００３】
換気扇を使用し続けると、ガスコンロの使用によって生じる煙が換気扇及びフードに接して、換気扇及びフードに汚れが蓄積されていく。特に煙中に含まれる油分は換気扇及びフードにこびりつきやすく、放置するとゴキブリやハエなどの害虫の餌となるため、掃除する必要がある。しかし、換気扇は通常高い位置に設置されるため、頻繁に掃除することができないという問題を有していた。また、油汚れが落ちにくく、掃除が大変で面倒であるといった理由から、頻繁に掃除されず汚れが蓄積され、更に掃除が面倒になってしまうという悪循環を生じやすいという問題も有していた。
【０００４】
そこで、換気扇としての排気機能は損なわず、換気扇及びフードが汚れないための装置や道具などが数多く開発された。その中に、フィルターを使用したものがある。このフィルターを換気扇フードに取り付けることにより、煙内に含まれる油分をフィルターで除去し、空気のみを換気扇によって排出するものである。図７は、従来の一般的な換気扇用フィルターを示した図である。このフィルターは、支持枠体内にフィルターを設置し、フィルター支持部材によってフィルターが支持枠体に固定されている。
【考案の開示】
【考案が解決しようとする課題】
【０００５】
しかし、図７に示されたような従来のフィルターは、フィルターを保持している保持部材及び保持枠体が露出しているため、保持部材及び保持枠体に煙が接触して汚れてしまうという問題を有していた。つまり、換気扇及びフードの汚れを防止して掃除をなくすという目的でフィルターを設置したのにもかかわらず、フィルターを保持している保持枠体及び保持部材を掃除しなければならず、結局掃除をしなければならないという矛盾が生じていた。
【０００６】
以上のことから、換気扇フードに取り付けた後、換気扇及びフードと共にフィルターを保持する枠体も汚れず、フィルターを枠体に容易に着脱できる換気扇フード用フィルター体の開発が望まれていた。
【課題を解決するための手段】
【０００７】
上記課題を解決するため本考案に係る換気扇フード用フィルター体は、シート状のフィルター部材と、フィルター部材を平面状に保持する枠体とからなり、枠体は、フィルター取付面を有し、フィルター取付面は、枠体開口部に接して周回する平坦部が平面内にあり、平坦部には、マジックテープ（登録商標）が設けられていることを特徴とする。
【０００８】
また、フィルター部材は、フィルター取付面全面を被覆可能な形状であっても良い。
【０００９】
また、フィルター体は、フィルター取付面の裏面が換気扇側を向いて取り付けられても良い。
【００１０】
また、フィルター取付面には、取っ手部材が突出して設けられていても良い。また、フィルター部材にはスリットが設けられ、フィルター部材を前記枠体へ取り付けた時に、取っ手部材がスリットから突出しても良い。
【００１１】
また、フィルター部材としては、不織布で形成されたシート状のフィルター部材で、換気扇フード用フィルター体の枠体の一部を被覆可能な大きさ及び形状を有し、枠体に設けられた取っ手部材が貫通可能なスリットを有しているものが良い。
【考案の効果】
【００１２】
本考案に係る換気扇フード用フィルター体は、シート状のフィルター部材と、フィルター部材を平面状に保持する枠体とからなり、枠体は、フィルター取付面を有し、フィルター取付面は、枠体開口部に接して周回する平坦部が平面内にあり、平坦部には、マジックテープ（登録商標）が設けられていることを特徴とするため、フィルター部材の容易に且つ自在に着脱ができる。
【００１３】
また、フィルター部材がフィルター取付面全面を被覆可能な形状であり、フィルター体がフィルター取付面の裏面が換気扇側を向いて取り付けらるため、ガスコンロの使用によって生じる煙を必ず最初にフィルター部材に通過させることができ、枠体が汚れなくなり、枠体の掃除・洗浄の手間を省略・低減することができる。更に、枠体を換気扇フードに取り付けた状態で、フィルター部材を着脱できるため、フィルター部材の交換作業が非常に容易である。
【００１４】
また、フィルター取付面には、取っ手部材が突出して設けられているため、枠体の換気扇フードへの取り付け及び取り外しが非常に容易である。
【考案を実施するための最良の形態】
【００１５】
本考案に係る換気扇フード用フィルター体２について図を参照にしながら説明する。図１は、本考案に係る換気扇フード用フィルター体２を示した説明図である。なお、これらの図は本考案を説明するためだけのものであり、本考案を何ら限定するものではない。
【００１６】
本考案に係る換気扇フード用フィルター体２は、フィルター部材１６と、枠体４とからなることを特徴とする。
【００１７】
枠体４は、換気扇フード２２に取り付け、フィルター部材１６を平面状に保持する部材を指す。図２は、枠体４の一実施の形態を示した図である。枠体４の材料としては、耐熱性・強度・成型などを考慮し、樹脂又は各種金属を使用するのが良いが、適宜設定すれば良い。また、枠体４の形状については、図２に示されたように方形状のものが良いが、換気扇フード２２の形状に応じて適宜設定することができる。また、図５に示されたように、枠体４が断面Ｌ字状となっていても良い。これは、図６に示されたように、枠体４を換気扇フード２２の開口部に嵌め込んで取り付ける構造になっているからであるが、この他にも、換気扇フード２２への取り付け方式や方法などに応じて枠体４の形状を設定しても良い。
【００１８】
また、枠体４には、フィルター部材１６を取り付けるためのフィルター取付面８が設けられていることを特徴とする。フィルター取付面８は、枠体４の開口部６に接して周回する平坦部１０が平面内にある形状をしている。平面内にあるとは、図２に示されたように、枠体４の中心部分の開口部６を囲むようにして平坦部１０が設けられ、この平坦部１０が平面状になっているということである。フィルター取付面８がこの形状を有しているため、フィルター部材１６を枠体４に取り付けた時、フィルター部材１６が平面状に保持される。
【００１９】
また、図３に示されたように、フィルター取付面８の平坦部１０にはフィルター取付部材としてマジックテープ（登録商標）１２が設けられている。マジックテープ（登録商標）１２を使用するのは、フィルター部材１６の着脱が自在で、フィルター部材１６を取り付けると容易に外れにくいという特徴が、本考案のフィルター体２に適しているからである。この時、フィルター部材１６は、適度な布目を有した不織布を使用するのが良い。これは、フィルター部材１６をマジックテープ（登録商標）１２に取り付けた時、容易に取り付けることができ、剥がれにくいという特性を有しているからである。また、フィルター部材１６がマジックテープ（登録商標）１２に取り付けにくい材質又は形状の場合は、フィルター部材１６にマジックテープ（登録商標）１２を貼付しても良いし、マジックテープ（登録商標）１２に取り付けやすい部材をフィルター部材１６に貼付しても良い。マジックテープ（登録商標）１２の設置箇所については、図３に示されたように、フィルター取付面８全体に設置しても良いが、適当な間隔を設けて部分的に設置しても良く、適宜設定することができる。また、マジックテープ（登録商標）１２は、枠体４から剥がれないように強固に固定されているのが良いが、枠体４と着脱可能に固定されていても良い。
【００２０】
また、枠体４には、図２及び図３に示されたように、取っ手部材１４が突出して設けられていても良い。取っ手部材１４の形状、構造、形成位置、形成数などについては、特に限定せず、適宜設定すれば良い。
【００２１】
次に、本考案に係るフィルター部材１６について説明する。図４は、フィルター部材１６を示した説明図である。フィルター部材１６としては、適度な布目を有した不織布を使用するのが良い。これは、上述したように、枠体４にフィルター部材１６を取り付けた時、マジックテープ（登録商標）１２に取り付けやすく剥がれにくいため、長時間の継続使用が可能となる。また、マジックテープ（登録商標）１２に取り付けにくい材質を使用する場合は、フィルター部材１６にマジックテープ（登録商標）１２を貼付しても良い。また、マジックテープ（登録商標）１２に取り付きやすく且つ剥がれにくなるような部材を添付しても良いし、フィルター部材１６に何らかの処理を施しても良い。この他にも、ガスコンロ使用によって生じる煙中の汚染成分を捕集でき、換気扇２０の排気に障害とならない程度の通気が可能で有れば、どの様な材質のものも使用することが可能である。また、フィルター部材１６が難燃性又は不燃性の材質であると更に良い。
【００２２】
このフィルター部材１６の形態としては、シート状であるのが好ましい。シートの厚みは、フィルター部材１６の材質などに応じて設定すれば良いが、形状としては、フィルター取付面８全面を被覆可能な形状であるのが好ましい。また、図１に示されているように、フィルター取付面８とフィルター部材１６が同じ形状で、フィルター部材１６を取り付けた時に枠体４と一体化するような形状であっても良いが、フィルター部材１６がフィルター取付面８から若干はみ出る形状であっても良く、適宜設定すれば良い。
【００２３】
また、フィルター部材１６にスリット１８を設けても良い。このスリット１８の形状は、取っ手部材１４が貫通可能な形状を有していればどの様な形状であっても良い。また、スリット１８の形成位置としては、図１に示されたように、フィルター部材１６を枠体４へ取り付けた時に、取っ手部材１４がスリット１８から突出するように設けられている。
【００２４】
また、本考案に係るフィルター体２は、フィルター取付面８の裏面が換気扇２０側を向いて取り付けられるのが好ましい。図６は、フィルター体２の使用状態を示した説明図である。つまり、フィルター取付面８の裏面を換気扇２０側に向けて取り付けることにより、フィルター取付面８がガスコンロ側を向くことになる。そして、フィルター取付面８には、フィルター部材１６が取り付けられているため、ガスコンロ使用によって生じる煙が、必ず最初にフィルター部材１６を通過することになる。更に、フィルター部材１６がフィルター取付面８全体を被覆しているため、換気扇２０及び換気扇フード２２と共に枠体４も汚れを防止・低減することができる。
【００２５】
以上が、本考案に係る換気扇フード用フィルター体２についての説明であるが、本考案の目的を逸脱しない限り、種々の条件・設定は変更が可能である。
【図面の簡単な説明】
【００２６】
【図１】本考案に係る換気扇フード用フィルター体を示した説明図である。
【図２】本考案に係る枠体を示した説明図である。
【図３】本考案に係る枠体を示した説明図である。
【図４】本考案に係るフィルター部材を示した説明図である。
【図５】本考案に係る枠体とフィルター部材の取り付け状態を示した部分拡大断面図である。
【図６】本考案に係る換気扇フード用フィルター体の使用状態を示した説明図である。
【図７】従来の換気扇フード用フィルター体を示した説明図である。
【符号の説明】
【００２７】
２    フィルター体
４    枠体
６    開口部
８    フィルター取付面
１０  平坦部
１２  マジックテープ（登録商標）
１４  取っ手部材
１６  フィルター部材
１８  スリット
２０  換気扇
２２  換気扇フード
【図１】
0003113154.tif 000003
【図２】
0003113154.tif 000004
【図３】
0003113154.tif 000005
【図４】
0003113154.tif 000006
【図５】
0003113154.tif 000007
【図６】
0003113154.tif 000008
【図７】
0003113154.tif 000009